(57)【要約】      （修正有）【課題】物品を挟持した後、便利に、素早く、思いのままに物品を挟持した挟持具を掛ける、引っ掛ける、吊るす、或いは壁や板から突出した物や釘などの適切な位置に套合或いは挿入する多機能の挟持具を提供する。【解決手段】主に本体１０と二つのアーチ型プレスアーム１３で構成する多機能の挟持具１の構造である。該アーチ型プレスアームは、挟持具本体の両サイドにあるプレスアーム１１が、アーチ角度１２で外側に延伸して形成するものである。該アーチ型プレスアームに含まれるのは、アーチ型プレスアーム、ひょうたん型の穴と、二つのフックである。該多機能の挟持具は物品を挟持したあと、便利に、素早く、思いのままに壁や板にある突出物や釘など、適切な位置に掛ける、引っ掛ける、吊るす、套合或いは挿入することができる多機能の挟持具である。【選択図】図１
0003169748.tif 000002
【実用新案登録請求の範囲】
【請求項１】
本体、二つのアーチ型プレスアームを含み、
該本体は一体成形の挟持具であり、
該二つのアーチ型プレスアームは、挟持具本体の両サイドにあるプレスアームが、アーチ角度で外側に延伸し、様々な柵や木の棒、針金、紐などに掛ける、或いは吊るすことができ、
該二つのアーチ型プレスアームに含まれるのは、ひょうたん型の穴と二つのフックであり、
該ひょうたん型の穴はアーチ型プレスアームの面の上端に設置し、大中サイズの円形穴と、小型の穴を具有し、大中小のそれぞれサイズの異なる突出物や、釘類などに掛ける、吊るす、挿入或いは套合することができ、
該二つのフックはアーチ型プレスアームの両サイドの外側中央位置に設置し、両サイドで掛ける、吊るすことができ、
該挟持具本体と二つのアーチ型プレスアームは一体成形の挟持具であり、該二つのアーチ型プレスアームは柵や木の棒、針金、紐などに掛ける、吊るすことができ、且つ該二つのアーチ型プレスアームのひょうたん型の穴にある大中の円形穴と小型の穴は、物品を挟持した挟持具が壁や板にある大中小の突出物や釘などに掛ける、吊るす、套合或いは挿入することができ、該二つのフックは両サイドで吊るす、掛けることができることを特徴とする多機能の挟持具の構造。
【請求項２】
前記ひょうたん型穴を二つのアーチ型プレスアームの面の上端に設置し、大中サイズの円形穴と、小型の穴を具有し、大中小のそれぞれサイズの異なる突出物や、釘類などに掛ける、吊るす、挿入或いは套合することができることを特徴とする請求項１記載の多機能の挟持具の構造。
【請求項３】
前記二つのフックはそれぞれ二つのアーチ型プレスアームの両サイドに一つずつ設置し、両サイドで掛ける、吊るすことができることを特徴とする請求項１記載の多機能の挟持具の構造。
【考案の詳細な説明】
【技術分野】
【０００１】
本考案は多機能の挟持具の構造に関し、特に物品を挟持した後、便利に、素早く、思いのままに物品を挟持した挟持具を掛ける、引っ掛ける、吊るす、或いは壁や板から突出した物や釘などの適切な位置に套合或いは挿入する多機能の挟持具の構造に関する。
【背景技術】
【０００２】
既に様々な形のハンガーの挟持具が市販されており、それの多くはハンガーに挟む、或いはハンガーに吊るすものが多く、その使い道に限りがある。単独に物品を挟持する場合、テーブル或いは床の上に置くしかなく、置く場所が見つからない時さえもある。または挟持したばかりのものが、忙しさゆえに置き場所を忘れるなど、探すために時間を費やすと同時に、該挟持具は掛ける、引っ掛ける、吊るすなど、移動できる機能を持たないため、使用する際に不便があることを鑑みて、更なる改善をする必要があった。
【考案の概要】
【考案が解決しようとする課題】
【０００３】
前記従来技術の欠点を解決するため、本考案は多機能の挟持具を設置し、特に物品を挟持した後、便利に素早く、思いのままに物品を挟持した挟持具を掛ける、引っ掛ける、吊るす、或いは壁や板から突出した物や釘などの適切な位置に套合或いは挿入する多機能の挟持具の構造を提供することを主な課題とする。
【課題を解決するための手段】
【０００４】
前記課題を解決するため、本考案は多機能の挟持具の構造を提供する。該多機能の挟持具に含まれるのは、挟持具本体及び二つのアーチ型プレスアームである。該アーチ型プレスアームに含まれるのは、アーチ型プレスアーム、ひょうたん型の穴、二つのフックである。該アーチ型プレスアームは、挟持具本体の両サイドにあるプレスアームが、アーチ角度で外側に延伸して形成するものである。該アーチ型プレスアームにより、様々な柵や木の棒、針金、紐などに掛ける、或いは吊るして使用することができる。該ひょうたん型穴をアーチ型プレスアームの面の上端に設置し、大中サイズの円形穴と、小型の穴を具有し、大中小のそれぞれサイズの異なる突出物や、釘類などに掛ける、吊るす、挿入或いは套合して使用することができる。該フックはアーチ型プレスアームの両サイドの外側中央位置に設置し、掛ける、吊るすために使用することができる。本考案の多機能の挟持具は、便利に、素早く、思いのままに物品を挟持した挟持具を適切な位置に掛ける、引っ掛ける、吊るす、挿入或いは套合することができる多機能の挟持具の構造である。
【考案の効果】
【０００５】
本考案はアーチ型プレスアーム及びひょうたん型の穴を設置することにより、物品を挟持した後、便利に素早く、思いのままに物品を挟持した挟持具を掛ける、引っ掛ける、吊るす、或いは壁や板から突出した物や釘などの適切な位置に套合或いは挿入することができる。
【図面の簡単な説明】
【０００６】
【図１】本考案における多機能の挟持具の立体図である。
【図２】本考案における多機能の挟持具の正視図である。
【図３】本考案における多機能の挟持具のアーチ型プレスアームの正面図である。
【考案を実施するための形態】
【実施例】
【０００７】
図１、図２及び図３に示すのはそれぞれ本考案における多機能の挟持具１の立体図、正視図、アーチ型挟持アームの正面図である。本考案における多機能の挟持具は一体成形の挟持具１であり、それに含まれるのは本体１０、二つのプレスアーム１１、二つのアーチ型プレスアーム１３である。該挟持具１本体１０の両側にあるプレスアーム１１が、アーチ角度１２で外側に延伸し、両サイドにアーチ型プレスアーム１３を形成する。該二つのアーチ型プレスアーム１３のアーチ角度１２により、物品を挟持した後、柵や木の棒、針金、紐などに掛ける、吊るすことができる。ユーザーは思いのままに物品を掛ける、吊るすことができるほか、物品を探すのにも便利であり、探すためのタイムロスを無くす。
【０００８】
図３に示すように、該アーチ型プレスアーム１３はアーチ型の形状であり、物品を挟持した挟持具を掛ける或いは吊るすことができる。該アーチ型プレスアーム１３に含まれるのは、ひょうたん型穴１３１と二つのフック１３２である。該ひょうたん型穴１３１をアーチ型プレスアーム１３の面の上端に設置し、大中サイズの円形穴１３１ａ、１３１ｂと、小型の穴１３１ｃを具有し、大中小のそれぞれサイズの異なる突出物や、釘類などに掛ける、吊るす、挿入或いは套合して使用することができる。該突出物の物品が比較的大きい場合は、該ひょうたん穴１３１の大円形穴１３１ａに掛ける、挿入或いは套合する。該突出物の物品が比較的小さい場合は、該ひょうたん穴１３１の中円形穴１３１ｂに掛ける、挿入或いは套合する。該突出物の物品がミニサイズである場合は、該ひょうたん穴１３１の小型の穴１３１ｃに掛ける、挿入或いは套合する。思いのままに、物品を挟持した挟持具を掛ける、引っ掛ける、吊るす、或いは壁や板から突出した物や釘などの適切な位置に套合或いは挿入する。更に該フック１３２はアーチ型プレスアーム１３の両サイドの外側中央位置に設置し、該フック１３２は挟持具１が物品を挟持した後、掛ける、吊るすために使用することができる。よって、該挟持具１が設けるアーチ型プレスアームにより、物品を挟持した挟持具１が、様々な柵や木の棒、針金、紐などに掛ける、吊るすことができる。同時に該ひょうたん型の穴１３１と該フック１３２は壁や板から突出した物や釘などに掛ける、引っ掛ける、吊るす、挿入或いは套合することができる。思いのままに物品を挟持した挟持具を掛ける、引っ掛ける、吊るす、挿入或いは套合するなどの方法を用いて、適切な位置に設置することができる「多機能の挟持具」である。
【０００９】
以上の実施例による本考案の詳細な説明は本考案の範囲を制限するものではない。本技術に熟知する者が、本考案の範囲内にて行う変更や部品の変換、調整を行っても、本考案の重要な意義は失われず、本考案の範囲に含まれる。
【符号の説明】
【００１０】
１        挟持具
１０      本体
１１      プレスアーム
１２      アーチ角度
１３      アーチ型プレスアーム
１３１    ひょうたん型の穴
１３１ａ  大の円形穴
１３１ｂ  中の円形穴
１３１ｃ  小の穴
１３２    フック
【図１】
0003169748.tif 000003
【図２】
0003169748.tif 000004
【図３】
0003169748.tif 000005
【手続補正書】
【提出日】平成23年6月6日(2011.6.6)
【手続補正１】
【補正対象書類名】実用新案登録請求の範囲
【補正対象項目名】全文
【補正方法】変更
【補正の内容】
【実用新案登録請求の範囲】
【請求項１】
本体と二つのアーチ型プレスアームを含む多機能の挟持具の構造であって、
該本体は挟持具であり、
該二つのアーチ型プレスアームは、本体の両サイドにあるプレスアームが、アーチ角度で外側に延伸し、様々な柵や木の棒、針金、紐などに掛ける、或いは吊るすことができ、
該二つのアーチ型プレスアームには、ひょうたん型の穴と二つのフックを有し、
該ひょうたん型の穴はアーチ型プレスアームの面の上端に設置し、大中サイズの円形穴と、小型の穴を具有し、大中小のそれぞれサイズの異なる突出物や、釘類などに掛ける、吊るす、挿入或いは套合することができ、
該二つのフックはアーチ型プレスアームの両サイドの外側中央位置に設置し、両サイドで掛ける、吊るすことができ、
該本体と二つのアーチ型プレスアームは一体成形されていることを特徴とする多機能の挟持具の構造。
【請求項２】
前記ひょうたん型穴を二つのアーチ型プレスアームの面の上端に設置し、大中サイズの円形穴と、小型の穴を具有し、大中小のそれぞれサイズの異なる突出物や、釘類などに掛ける、吊るす、挿入或いは套合することができることを特徴とする請求項１記載の多機能の挟持具の構造。
【請求項３】
前記二つのフックはそれぞれ二つのアーチ型プレスアームの両サイドに一つずつ設置し、両サイドで掛ける、吊るすことができることを特徴とする請求項１記載の多機能の挟持具の構造。